(57)【要約】【課題】樫の木の使用量を減らして、環境負担が小さくなるようにすると共に、柄のしなりを大きく保って、打撃による手等への衝撃力を緩和できると共に、対象物に大きな打撃力を与えることができ、しかも、柄が長期使用に耐えることができるようにする。【解決手段】手工具の柄であって、柄長手方向に直交する方向に、樫により形成した内側硬質層７と、竹により形成した一対の外側軟質層８とを備え、内側硬質層７と一対の外側軟質層８とは、内側硬質層７を一対の外側軟質層８で両側から挟むように重合状に配置されて、互いに接合されている。【選択図】図３
0003113873.tif 000002
【実用新案登録請求の範囲】
【請求項１】
手工具の柄であって、柄長手方向に直交する方向に、樫により形成した内側硬質層（７）と、竹により形成した一対の外側軟質層（８）とを備え、内側硬質層（７）と一対の外側軟質層（８）とは、内側硬質層（７）を一対の外側軟質層（８）で両側から挟むように重合状に配置されて、互いに接合されていることを特徴とする手工具の柄。
【請求項２】
前記内側硬質層（７）の厚み方向両側に、一対の外側軟質層（８）が接着剤（１０）により接着固定されていることを特徴とする請求項１に記載の手工具の柄。
【請求項３】
手工具の打撃方向（ａ）及び柄長手方向に直交する方向の中央部に、前記内側硬質層（７）が配置され、前記直交する方向の両側に、前記一対の外側軟質層（８）が内側硬質層（７）を挟むように配置され、前記打撃方向（ａ）が内側硬質層（７）の幅方向とされ、内側硬質層（７）は、打撃方向（ａ）の全幅に亘っていることを特徴とする請求項１に記載の手工具の柄。
【請求項４】
前記一対の外側軟質層（８）は、竹による薄板（１１）をはり合わせてなる合板により構成されていることを特徴とする請求項１に記載の手工具の柄。
【請求項５】
前記外側軟質層（８）を形成する竹の種類が、モロソウチクであることを特徴とする請求項１に記載の手工具の柄。
【請求項６】
前記内側硬質層（７）と一対の外側軟質層（８）とは、柄長手方向の全長に亘る長さを有していることを特徴とする請求項１に記載の手工具の柄。
【請求項７】
柄の断面形状が、手工具の打撃方向（ａ）に向けて長い楕円形に形成され、この柄の断面の長軸方向が、前記内側硬質層（７）の幅方向とされ、柄（２）の断面の短軸方向に、前記内側硬質層（７）と一対の外側軟質層（８）とが積層状に配置されていることを特徴とする請求項３に記載の手工具の柄。
【請求項８】
木製の柄（２）を備える手工具において、
前記木製の柄（２）が、柄長手方向に直交する方向に、樫により形成された内側硬質層（７）と、竹により形成された一対の外側軟質層（８）とを備え、これら内側硬質層（７）と一対の外側軟質層（８）とは、内側硬質層（７）を一対の外側軟質層（８）で両側から挟むにように配置されて互いに接合されていることを特徴とする手工具。
【考案の詳細な説明】
【技術分野】
【０００１】
本考案は、ハンマー等の打撃用その他の手工具の柄及びハンマー等の手工具に関する。
【背景技術】
【０００２】
従来より、打撃用の手工具であるハンマーの柄は、硬質の木材である樫により形成するのが一般的であった（例えば特許文献１）。
また、従来のハンマー等の柄には、強度的に柄木として充分でない樫以外の木材で形成した一対の分割体を備え、この一対の分割体間に金属板等で構成した補強材を配設したものがある（例えば、特許文献２）。
【特許文献１】実用新案登録第３０６４４２５号公報
【特許文献２】特開２０００−７１２１１号公報
【考案の開示】
【考案が解決しようとする課題】
【０００３】
柄を樫により形成した従来のものは、次のような問題があった。即ち、樫は強度に優れており、様々な手工具の柄として利用されているが、樫の木の植林から樫の木の収穫までに約５０年かかるので、樫の木を多く使用すると、森林の再生に時間がかかり、環境負担が大になった。また、樫の木の収穫量も年々減少して、樫の木の値段が高騰しており、柄の大部分を樫により形成すると、柄全体の製造費用が高く付いた。
また、後者の従来の場合は、木材製の一対の分割体間に金属板等の補強材を配設するため、補強材によって柄全体が重くなるし、木材製の分割体と金属板等の補強材との異質の材料同士を接着剤等により接合する必要があるため、分割体と補強材との接合力が弱く、短期の使用で、分割体と補強材とが不測に分離するおそれがあり、長期使用に耐えられなくなった。また、金属等の補強材があるため、手工具の柄にしなりがなくなり、このため、杭等を打撃した場合に、打撃による大きな衝撃力が使用者の手にかかり、また、杭等に対して大きな力で打撃力を加えることができなくなるという問題があった。
【０００４】
本考案は上記問題点に鑑み、樫の木の使用量を減らして、環境負担が小さくなるようにすると共に、柄のしなりを大きく保って、打撃による手等への衝撃力を緩和できると共に、対象物に大きな打撃力を与えることができ、しかも、柄が長期使用に耐えることができるようにしたものである。
【課題を解決するための手段】
【０００５】
この技術的課題を解決するための本考案の技術的手段は、手工具の柄であって、柄長手方向に直交する方向に、樫により形成した内側硬質層と、竹により形成した一対の外側軟質層とを備え、内側硬質層と一対の外側軟質層とは、内側硬質層を一対の外側軟質層で両側から挟むように重合状に配置されて、互いに接合されている点にある。
また、本考案の他の技術的手段は、前記内側硬質層の厚み方向両側に、一対の外側軟質層が接着剤により接着固定されている点にある。
また、本考案の他の技術的手段は、手工具の打撃方向及び柄長手方向に直交する方向の中央部に、前記内側硬質層が配置され、前記直交する方向の両側に、前記一対の外側軟質層が内側硬質層を挟むように配置され、前記打撃方向が内側硬質層の幅方向とされ、内側硬質層は、打撃方向の全幅に亘っている点にある。
【０００６】
また、本考案の他の技術的手段は、前記一対の外側軟質層は、竹による薄板をはり合わせてなる合板により構成されている点にある。
また、本考案の他の技術的手段は、前記外側軟質層を形成する竹の種類が、モロソウチクである点にある。
また、本考案の他の技術的手段は、前記内側硬質層と一対の外側軟質層とは、柄長手方向の全長に亘る長さを有している点にある。
また、本考案の他の技術的手段は、柄の断面形状が、手工具の打撃方向に向けて長い楕円形に形成され、この柄の断面の長軸方向が、前記内側硬質層の幅方向とされ、柄の断面の短軸方向に、前記内側硬質層と一対の外側軟質層とが積層状に配置されている点にある。
【０００７】
また、本考案の他の技術的手段は、木製の柄を備える手工具において、
前記木製の柄が、柄長手方向に直交する方向に、樫により形成された内側硬質層と、竹により形成された一対の外側軟質層とを備え、これら内側硬質層と一対の外側軟質層とは、内側硬質層を一対の外側軟質層で両側から挟むにように配置されて互いに接合されている点にある。
【考案の効果】
【０００８】
本考案によれば、樫の木の使用量を減らして、環境負担を小さくすることができる。柄のしなりを大きく保って、打撃による手等への衝撃力を緩和できると共に、対象物に大きな打撃力を与えることができようになる。しかも、柄を軽量になし得ると同時に、柄が不測に分離するおそれが少なくなり、長期使用に耐えることができるようになる。
【考案を実施するための最良の形態】
【０００９】
以下、本考案の実施の形態を図面に基づいて説明する。
図１〜３において、１は打撃用の手工具であるハンマーで、このハンマー１は杭打ち等に利用される大型のものであり、木製の柄２を備えると共に、柄２の一端に設けられたヘッド部３を備えている。柄２のヘッド部３とは反対側に、ゴム等で構成した被覆体を外嵌してなる把持部４が設けられている。
柄２は、柄長手方向に直交する方向に、樫により形成した内側硬質層７と、竹により形成した一対の外側軟質層８とを備え、内側硬質層７と一対の外側軟質層８とは、柄長手方向の全長に亘る長さを有している。内側硬質層７と一対の外側軟質層８とは、内側硬質層７を一対の外側軟質層８で両側から挟むように重合状に配置されて、内側硬質層７の厚み方向両側に、一対の外側軟質層８が接着剤１０により接着固定され、これにより、内側硬質層７と一対の外側軟質層８とは互いに接合されている。
【００１０】
柄２は、その（柄長手方向に直交する方向の）断面形状が、ハンマー（手工具）１の打撃方向ａに向けて長い楕円形に形成され、この柄２の断面の長軸方向が、内側硬質層７の幅方向とされ、柄２の断面の短軸方向に、内側硬質層７と一対の外側軟質層８とが積層状に配置されている。従って、ハンマー１の打撃方向ａ及び柄長手方向に直交する方向の中央部に、内側硬質層７が配置され、前記直交する方向の両側に、一対の外側軟質層８が内側硬質層７を挟むように配置され、内側硬質層７は、柄２の打撃方向の全幅に亘っている。一対の外側軟質層８は、図３に示すように、竹による薄板１１を複数枚はり合わせてなる合板により構成されている。外側軟質層８を形成する竹の種類は、モロソウチクである。
【００１１】
次に、柄２の製造工程を説明する。まず、図４に示すように、樫の木をスライスすることにより、前記内側硬質層７を形成するための長方形状の硬質層形成板７Ａを形成すると共に、竹による薄板１１を複数枚はり合わせてなる合板をスライスすることにより、前記一対の外側軟質層８を形成するための一対の長方形状の軟質層形成板８Ａを形成する。
次に、硬質層形成板７Ａ及び一対の軟質層形成板８Ａを、防虫、防かび用の処理液の中に浸して、防虫処理及び防かび処理をし、その後硬質層形成板７Ａ及び一対の軟質層形成板８Ａを水洗いして乾燥させ、さらに、硬質層形成板７Ａ及び一対の長方形状の軟質層形成板８Ａをもう一度スライスする。
【００１２】
その後、図４に示すように、長方形状の硬質層形成板７Ａと一対の長方形状の軟質層形成板８Ａとを、接着剤１０を介して重合し、硬質層形成板７Ａ及び一対の長方形状の軟質層形成板８Ａに、熱と圧力とをかけて、硬質層形成板７Ａと一対の軟質層形成板８Ａとを接合して角棒状の柄形成部材２Ａを作成する。その後、柄形成部材２Ａを、楕円の棒状になるように削ればよい。これにより、内側硬質層７と一対の外側軟質層８とを備える断面が楕円形の柄２が製造される。その後は、柄２の表面にニスを塗布した後、柄２の一端にヘッド部３を取付け、柄２の他端側に被覆材を外嵌装着して、柄２に把持部４を設ける。
【００１３】
上記実施の形態によれば、柄長手方向に直交する方向に、樫により形成した内側硬質層７と、竹により形成した一対の外側軟質層８とを備えるので、柄全体を樫により形成した従来のものに比べて、森林の再生に時間がかかる樫の木の使用量は１／３程度で済み、樫の使用の減少分に対応して使用される竹は、収穫後、わずか３〜５年でもとの竹林に戻るので、環境負担を小さく抑えることができるし、柄２全体の製造費用も安上がりになる。
また、柄２に金属等を使用しなくて済み、柄２を極力軽くすることができるし、樫及び竹によって、柄２をしなり易くすることができ、杭等を打撃した場合に、しなりによって打撃したときの衝撃を緩和して手にかかる衝撃を効果的に小さくすることができる。しかも、柄２のしなりによって手にかかる衝撃を弱めて、杭等に対して大きな打撃力を加えることができるようになる。さらに、内側硬質層７を一対の外側軟質層８で両側から挟むように重合状に配置されているので、杭等を打撃する際に、堅い内側硬質層７を比較的柔らかい外側軟質層８で包んだ状態になるため、この点からも打撃による衝撃を和らげて、より一層手にかかる衝撃を緩和することができる。
【００１４】
また、内側硬質層７と一対の外側軟質層８とは両方共木製であって、同質の材料同士であるから接着剤１０によって三者が一体になるように強固に接合することができる。しかも、内側硬質層７と一対の外側軟質層８とを接着剤１０により接着する際に、熱と圧力をかけることによって、竹と樫との圧縮を利用してより一層強固に接合することができる。従って、使用によっても、柄２の内側硬質層７と一対の外側軟質層８とが不測に分離するおそれもなくなり、長期使用に十分に耐えることができる。
また、ハンマー１の打撃方向ａ及び柄長手方向に直交する方向の中央部に、内側硬質層７が配置され、打撃方向ａが内側硬質層７の幅方向とされ、内側硬質層７は、打撃方向ａの全幅に亘っているので、ハンマー１で杭等を打撃した際の打撃力を、樫で形成した内側硬質層７の幅方向で受けることができ、柄２を樫の他に竹で形成しているにも拘わらず、柄２を、強い衝撃力に耐えることができきるように十分に頑丈なものに形成することができる。
【００１５】
また、柄２の断面形状が、ハンマー１の打撃方向ａに向けて長い楕円形に形成され、この柄２の断面の長軸方向が、内側硬質層７の幅方向とされ、柄２の断面の短軸方向に、前記内側硬質層７と一対の外側軟質層８とが積層状に配置されているので、打撃方向ａを柄の長軸方向に一致させることができると共に、打撃方向ａ及び柄２の長軸方向に内側硬質層７の幅方向を一致させて、内側硬質層７の幅を柄２の長軸方向に極力長く形成できるため、ハンマー１で杭等を打撃した際の打撃力を、長く形成した内側硬質層７の幅方向で受けることができ、柄２をより一層頑丈なものに形成することができる。
【００１６】
また、外側軟質層８を形成する竹の種類として、モロソウチクを使用しているので、肉厚の大きい竹材を使用できて、一対の外側軟質層８の肉厚を大きくなし得ると共に、外側軟質層８をしなやかで弾力に富んだものになし得る。
図５は他の実施形態を示し、内側硬質層７を２層設けて、２層の内側硬質層７を接着剤１０により互いに接合するようにしたものである。その他の点は前記実施の形態の場合と同様の構成であり、前記実施の形態の場合と同様の作用効果を奏する。
図６は他の実施の形態を示し、一対の外側軟質層８を、合板に代えて１本の竹により構成するようにしたものである。その他の点は前記図１〜図４の実施形態の場合と同様構成である。
【００１７】
図７は他の実施の形態を示し、打撃方向ａに向けて長い楕円形に形成された柄２の短軸方向が、内側硬質層７の幅方向とされ、柄２の断面の長軸方向に、内側硬質層７と一対の外側軟質層８とが積層状に配置されており、打撃方向ａの中央部に、内側硬質層７が配置され、打撃方向ａの両側に一対の外側軟質層８が内側硬質層７を挟むように配置されている。その他の点は、前記図１〜図４の実施形態の場合と同様構成である。
図８は他の実施の形態を示し、打撃方向ａ、柄２の楕円形断面の長軸方向及び短軸方向に対して、内側硬質層７及び一対の外側軟質層８の幅方向の向きを傾斜させて、内側硬質層７及び一対の外側軟質層８を配置しており、打撃方向ａ、柄２の楕円形断面の長軸方向及び短軸方向に対して、傾斜した方向に内側硬質層７と一対の外側軟質層８とが積層されている。その他の点は、前記図１〜図４の実施形態の場合と同様構成である。
【００１８】
図９は他の実施の形態を示し、図８の実施形態の場合と同様に、打撃方向ａ、柄２の楕円形断面の長軸方向及び短軸方向に対して、内側硬質層７及び一対の外側軟質層８の幅方向の向きを傾斜させている。そして、図８の実施形態の場合と異なる点は、一対の外側軟質層８の、竹による薄板１１の向きが、図８の実施形態の場合、内側硬質層７の幅方向に対して直交する向きに配置されているのに対して、一対の外側軟質層８の、竹による薄板１１の向きが、打撃方向ａ及び柄２の長軸方向と一致し、内側硬質層７の幅方向に対して傾斜している点である。
【００１９】
なお、前記実施の形態では、外側軟質層８を形成する竹の種類として、モロソウチクを使用しているが、これに代えて、ハチク、ホテイチク、キッコウチクその他の種類の竹を使用するようにしてもよい。
また、前記実施の形態では、内側硬質層７を、１層又は２層設けているが、これに代えて、内側硬質層７を３層以上設けるようにしてもよい。
また、前記実施の形態では、内側硬質層７の両側に、外側軟質層８を１層ずつ設けているが、これに代え、内側硬質層７の両側に、外側軟質層８を複数層ずつ設けるようにしてもよい。
【００２０】
また、前記実施の形態では、手工具としてハンマー１について本願考案を適用実施しているが、これに代え、手工具として、金槌、斧、レーキ、熊手、スコップ、打ち込み鍬、フォーク、ツルハシ等の打撃用その他の手工具に適用実施するようにしてもよい。
【図面の簡単な説明】
【００２１】
【図１】本考案の一実施形態を示すハンマーの側面図である。
【図２】同ハンマーの柄２の斜視図である。
【図３】同ハンマーの断面図である。
【図４】同柄の製造工程を示す柄形成部材の斜視図である。
【図５】本考案の他の実施形態を示すハンマーの柄の断面図である。
【図６】本考案の他の実施形態を示すハンマーの柄の断面図である。
【図７】本考案の他の実施形態を示すハンマーの柄の断面図である。
【図８】本考案の他の実施形態を示すハンマーの柄の断面図である。
【図９】本考案の他の実施形態を示すハンマーの柄の断面図である。
【符号の説明】
【００２２】
１      ハンマー（手工具）
２      柄
７      内側硬質層
８      外側軟質層
１０    接着剤
１１    竹による薄板
【図１】
0003113873.tif 000003
【図２】
0003113873.tif 000004
【図３】
0003113873.tif 000005
【図４】
0003113873.tif 000006
【図５】
0003113873.tif 000007
【図６】
0003113873.tif 000008
【図７】
0003113873.tif 000009
【図８】
0003113873.tif 000010
【図９】
0003113873.tif 000011